(57)【要約】 【課題】  端子金具の一部が型抜き空間側へ突出している形態のコネクタに使用される場合においても、その端子金具の突出部分に対して治具が干渉するのを回避する。【解決手段】  解除治具Ｊは、解除部３１における端子金具２０との対向面から突出した形態のガイド部３６を有しており、型抜き空間１６に挿入される過程では、前止まり壁１０Ｆにおける型抜き空間１６に臨むガイド面１７にガイド部３６を摺接させることで、解除部３１をガイド面１７よりも型抜き空間１６側へ変位させた状態に保たれるようにした。よって、端子金具２０の一部がガイド面１７よりも型抜き空間１６側へ突出していても、解除部３１が端子金具２０の突出部と干渉する虞がない。【選択図】  図７
2005063921.tif 000002
【特許請求の範囲】
【請求項１】
コネクタハウジングに、キャビティと、前記コネクタハウジングの前端面に開口する型抜き空間と、前記キャビティと前記型抜き空間との境界位置に配されたランスとが形成され、前記キャビティに挿入された端子金具を前記ランスの係止により抜止めするようになっているコネクタに使用され、
前記型抜き空間に前方から差し込まれることにより、先端の解除部を前記ランスに係止させ、そのランスを変位させることで前記端子金具から解離させるようにした解除治具であって、
前記解除部における前記端子金具との対向面から突出した形態のガイド部を有しており、
前記型抜き空間に挿入される過程では、前記コネクタハウジングの前面壁における前記型抜き空間に臨むガイド面に対して前記ガイド部を摺接させることで、前記解除部を前記ガイド面よりも前記型抜き空間側へ変位させた状態に保たれるようにしたことを特徴とする解除治具。
【請求項２】
前記ガイド部の先端部に、前記型抜き空間への挿入方向に対して傾斜した誘導面が形成されていることを特徴とする請求項１記載の解除治具。    
【請求項３】
前記ガイド部が幅方向において前記ランスと非対応の領域に配されていることを特徴とする請求項１又は請求項２記載の解除治具。
【発明の詳細な説明】
【技術分野】
【０００１】
本発明は、コネクタにおいて端子金具に対するランスの係止を解除するための解除治具に関するものである。
【背景技術】
【０００２】
コネクタとして、図１２に示すように、合成樹脂製のコネクタハウジング１００内にキャビティ１０１を形成するとともに、キャビティ１０１の内壁に沿って前方へ突出するランス１０２を形成し、さらにランス１０２の型抜き空間１０３をコネクタハウジング１００の前端面に開口させて形成し、後方からキャビティ１０１内に挿入した端子金具１０４をランス１０２の係止によって抜止めするようにしたものがある。
【０００３】
端子金具１０４を抜き取る際には、前方から細長い解除治具１０５を型抜き空間１０３内に差し込んで、その先端の解除部１０６をランス１０２に係止させ、治具１０５を傾けることによってランス１０２を端子金具１０４から解離させる方向へ変位させる。
【０００４】
尚、型抜き空間に挿入した治具によってランスを端子金具から解離させる技術については、特許文献１に開示されている。
【特許文献１】実開昭５７−１３８２８５号公報
【発明の開示】
【発明が解決しようとする課題】
【０００５】
従来の治具１０５では、図１２（Ｂ）に示すように、端子金具１０４の一部が型抜き空間１０３側へ突出している場合、その端子金具１０４の突出部分に対して治具１０５の解除部１０６の先端が突き当たり、その突出部分を変形させたり破損させたりする虞がある。
【０００６】
本発明は上記のような事情に基づいて完成されたものであって、端子金具の一部が型抜き空間側へ突出している形態のコネクタに使用される場合においても、その端子金具の突出部分に対して治具が干渉しないようにすることを目的としている。
【課題を解決するための手段】
【０００７】
上記の目的を達成するための手段として、請求項１の発明は、コネクタハウジングに、キャビティと、前記コネクタハウジングの前端面に開口する型抜き空間と、前記キャビティと前記型抜き空間との境界位置に配されたランスとが形成され、前記キャビティに挿入された端子金具を前記ランスの係止により抜止めするようになっているコネクタに使用され、前記型抜き空間に前方から差し込まれることにより、先端の解除部を前記ランスに係止させ、そのランスを変位させることで前記端子金具から解離させるようにした解除治具であって、前記解除部における前記端子金具との対向面から突出した形態のガイド部を有しており、前記型抜き空間に挿入される過程では、前記コネクタハウジングの前面壁における前記型抜き空間に臨むガイド面に対して前記ガイド部を摺接させることで、前記解除部を前記ガイド面よりも前記型抜き空間側へ変位させた状態に保たれるようにしたところに特徴を有する。
【０００８】
請求項２の発明は、請求項１に記載のものにおいて、前記ガイド部の先端部に、前記型抜き空間への挿入方向に対して傾斜した誘導面が形成されているところに特徴を有する。
【０００９】
請求項３の発明は、前記ガイド部が幅方向において前記ランスと非対応の領域に配されているところに特徴を有する。
【発明の効果】
【００１０】
＜請求項１の発明＞
解除部はガイド面よりも型抜き空間側へ変位した状態に保たれるようになっているので、端子金具の一部がガイド面よりも型抜き空間側へ突出していても、解除部が端子金具の突出部と干渉する虞がない。
【００１１】
＜請求項２の発明＞
型抜き空間に挿入する際に、先端の解除部がガイド面に当接又は接近していても、誘導面により、解除部がガイド面から離間する方向へ変位するとともにガイド部がガイド面に摺接する状態へ誘導されるので、挿入動作が円滑に行われる。
【００１２】
＜請求項３の発明＞
ガイド部が幅方向においてランスと非対応の領域に配されているので、不正な姿勢で挿入された治具がランスに係止せずに正規位置よりも奥方へ侵入しても、ガイド部がランスと干渉する虞がない。
【発明を実施するための最良の形態】
【００１３】
＜実施形態１＞
以下、本発明を具体化した実施形態１を図１乃至図１１を参照して説明する。
【００１４】
本実施形態の解除治具Ｊ（以下、単に「治具Ｊ」という）が使用されるコネクタＣについて説明する。コネクタＣは、合成樹脂製のコネクタハウジング１０とこのコネクタハウジング１０内に挿入される端子金具２０とからなる。コネクタハウジング１０内には、前後方向に細長く、横断面形状が略方形をなすキャビティ１１が形成されている。キャビティ１１の前端部においては、コネクタハウジング１０の前面壁１０Ｆを前後に貫通するとともにその前端面に開口するタブ挿入口１２Ｆが形成され、キャビティ１１の後端部はコネクタハウジング１０の後端面に端子挿入口１２Ｒとして開口されている。キャビティ１１の前端部には、そのキャビティ１１の底壁面１１ａ（下面壁）に沿って前方へ片持ち状に延出するランス１３が形成されている。
【００１５】
ランス１３の上面はキャビティ１１の底壁面１１ａよりも高い位置にあり、そのランス１３の上面には幅方向中央部を切欠した形態の溝１４が形成されている。溝１４は、前後方向（キャビティ１１に対する端子金具２０の挿入方向と平行な方向）に長く延び、ランス１３の後端から前端面に達している。ランス１３の前端面における左右両端部には、一対の係止部１５が形成されている。係止部１５は、側方（型抜き空間１６に対する治具Ｊの挿入方向と交差する方向）から視て三角形状に切欠することでランス１３の前端面側に口を開いた形態であり、溝１４の溝底面とほぼ同じ高さの水平面１５ａと、この水平面１５ａの後端から前下がりに延びる傾斜面１５ｂとを有する。水平面１５ａは、型抜き空間１６に対する治具Ｊの正規の挿入方向と平行であり、傾斜面１５ｂは、治具Ｊの正規挿入方向に対して斜め方向をなす。かかるランス１３の幅方向中心はキャビティ１１の幅方向中心と合致しており、また、ランス１３の幅寸法は、キャビティ１１の幅及びキャビティ１１に挿入される端子金具２０の幅よりも狭くなっている。
【００１６】
キャビティ１１の前端部の下方には、ランス１３を金型成型する際に形成された型抜き空間１６が存在している。型抜き空間１６は、コネクタハウジング１０の前端面において略方形に開口している。また、型抜き空間１６の幅方向中心は、キャビティ１１及びランス１３の幅方向中心と合致しており、型抜き空間１６の幅寸法は、ランス１３及びキャビティ１１の前端部の幅寸法よりも大きい寸法とされている。したがって、前方（型抜き空間１６に対して治具Ｊが挿入する方向）から視たときに、ランス１３の左右両外側面と型抜き空間１６の左右両内壁面との間には、縦長方形の空間が空いている。また、型抜き空間１６の上面壁１６ａの高さは、弾性撓みしていない自由状態におけるランス１３の上面とほぼ同じ高さとされ、この高さは、キャビティ１１の底壁面１１ａよりも高い位置となっている。
【００１７】
型抜き空間１６の前端部は、上下左右の各内壁面で囲まれており、その上壁面、即ちコネクタハウジング１０の前面壁１０Ｆの下面は、型抜き空間１６に治具Ｊを挿入する際の案内手段となるガイド面１７となっている。ガイド面１７は、型抜き空間１６に対する治具Ｊの正規挿入方（キャビティ１１に対する端子金具２０の挿入方向と平行な方向）と平行な平坦面であり、全幅領域に亘って一定の高さとなっている。このガイド面１７の高さは、キャビティ１１の底壁面１１ａよりも高く、自由状態におけるランス１３の上面とほぼ同じ高さとなっている。また、コネクタハウジング１０の前面壁１０Ｆの後端とランス１３の前端とは前後方向に離間しており、この離間領域においては、型抜き空間１６とキャビティ１１とが上下に連通している。
【００１８】
型抜き空間１６の後端側領域（前方から視て型抜き空間１６よりも奥方の領域）、即ちランス１３の下方領域は撓み空間１８となっており、上記したランス１３はキャビティ１１と型抜き空間１６との境界位置に配されていることになる。この撓み空間１８により、ランス１３が下方（端子金具２０への係止を解除する方向）へ弾性撓みすることが許容されている。
【００１９】
端子金具２０は、その略前半部分が角筒状の嵌合部２１とされており、この嵌合部２１内には弾性接触片２２が設けられている。嵌合部２１の下面壁は上下に重ねられた二枚板構造であり、下側の板部２１ａには、その前端部よりも少し後方の領域を下方へ叩き出した形態の抜止め突起２３が形成されている。抜止め突起２３は、幅方向中央位置に配され、幅方向においてランス１３と溝１４と対応している。端子挿入口１２Ｒから端子金具２０がキャビティ１１内に挿入される過程では、抜止め突起２３がランス１３の上面の溝１４に当接（摺接）してランス１３を下方（撓み空間１８側）へ弾性撓みさせるようになっている。端子金具２０が、その前端面をコネクタハウジング１０の前面壁１０Ｆに突き当てる正規位置まで挿入されると、抜止め突起２３がランス１３を通過し、これに伴ってランス１３が弾性復帰する。弾性復帰したランス１３の前端面は、抜止め突起２３に対して後方から係止又は近接して対向し、これにより、端子金具２０の後方への移動（キャビティ１１からの抜け）が規制され、端子金具２０が正規挿入位置に保持される。
【００２０】
この正規挿入状態では、嵌合部２１の下側の板部２１ａと抜止め突起２３が、ガイド面１７よりも下方（型抜き空間１６内）へ突出した状態となる。また、ランス１３の左右両端部の係止部１５は、抜止め突起２３に対してその外側方（幅方向における外側）へ外れた位置にある。そして、ランス１３による抜止め状態を解除して端子金具２０をキャビティ１１から後方へ抜き取る際には、治具Ｊを用いてランス１３を下方へ弾性撓みさせることで、ランス１３を抜止め突起２３とは非干渉の下方位置（撓み空間１８内）へ退避させる。以下、治具Ｊについて説明する。
【００２１】
治具Ｊは、作業者が把持するための把持部３０と、把持部３０の先端面から突出する解除部３１とを有している。把持部３０は、前後方向に沿って細長い方形断面の略ブロック状に形成されている。
【００２２】
解除部３１は、把持部３０よりも幅狭に形成され、解除部３１のうち把持部３０の先端面に連なるほぼ１／４の長さの基端部は厚肉部３２となっており、この厚肉部３２から解除部３１の先端に至るほぼ３／４の長さに亘る領域は、厚肉部３２よりも上面の高さが低くなった薄肉部３３となっている。
【００２３】
薄肉部３３は、その先端側のほぼ１／２の領域が二股状に分岐した形態となっており、この分岐部分が一対の操作アーム３４となっている。この操作アーム３４間のピッチは、端子金具２０の抜止め突起２３の幅寸法よりも僅かに広く、且つランス１３の左右両係止部１５間のピッチとほぼ等しく設定されている。これにより、両操作アーム３４の先端部が抜止め突起２３との干渉を回避しつつランス１３の両係止部１５内に進入可能とされるとともに両係止部１５を下方（撓み空間１８側）へ押圧可能となっている。両操作アーム３４の先端部下面は、係止部１５の傾斜面１５ｂに整合可能な勾配をもったテーパ面３５となっている。
【００２４】
薄肉部３３の上面（本発明の構成要件である解除部３１における端子金具２０との対向面）には、操作アーム３４の外側の側縁に沿って前後方向（型抜き空間１６に対する治具Ｊの挿入方向と平行な方向）に延びる左右一対のガイド部３６が形成されている。ガイド部３６は薄肉部３３の上面から上方へリブ状に突出しており、ガイド部３６の前後方向（治具Ｊの挿入方向）における形成領域は、操作アーム３４の先端よりも少し後方の位置から厚肉部３２に達する範囲とされている。ガイド部３６の上面は、薄肉部３３の上面と平行であり、厚肉部３２の上面に対して面一状に連なっている。ガイド部３６の左右両外側面は解除部３１の外側面に対して面一状に連なっている。ガイド部３６の先端面は、型抜き空間１６に対する治具Ｊの挿入方向（ガイド部３６の上面）に対して斜め方向であって、前下がりに傾斜した誘導面３７となっている。
【００２５】
薄肉部３３の上面からのガイド部３６の突出高さは、端子金具２０の嵌合部２１を構成する下側の板部２１ａ、即ちガイド面１７から型抜き空間１６側への端子金具２０の突出寸法よりも大きい寸法に設定されている。両ガイド部３６の内側面間の間隔は、ランス１３の幅よりも僅かに大きい寸法とされ、また、両ガイド部３６の外側面間の間隔（解除部３１の幅寸法）は、型抜き空間１６の内側面間の幅寸法よりも僅かに小さい寸法とされている。
【００２６】
把持部３０の前端面のうち解除部３１よりも上方の領域は、治具Ｊの挿入方向と直角な面を僅かに後傾させた規制面３８となっている。また、規制面３８から操作アーム３４の先端までの長さは、コネクタハウジング１０の前端面からランス１３の係止部１５までの長さよりも大きい寸法とされている。さらに、操作アーム３４の先端からガイド部３６の先端までの長さは、コネクタハウジング１０の前面壁１０Ｆの壁厚（即ち、ガイド面１７の前後長であって、前面壁１０Ｆの前端面からキャビティ１１内に正規挿入された端子金具２０の前端までの距離）よりも小さい寸法とされている。また、ガイド部３６の上面がコネクタハウジング１０のガイド面１７に当接（面当たり）した状態では、上下方向における治具Ｊの姿勢が安定するとともに、操作アーム３４がランス１３の係止部１５と同じ高さに位置するようになっている。
【００２７】
次に、本実施形態の作用を説明する。
【００２８】
キャビティ１１に正規挿入されている端子金具２０を抜き取る際には、コネクタハウジング１０の前方から操作アーム３４を先に向けて治具Ｊを型抜き空間１６内に挿入する。このとき、図７に示すように、ガイド部３６の先端部上面をガイド面１７に対して下から当接させ、面当たり状態とするが、この時点では、操作アーム３４（解除部３１）の先端は端子金具２０（嵌合部２１）の先端には達していない。
【００２９】
そして、この面当たり状態を保ちつつ治具Ｊの挿入を進めると、治具Ｊの姿勢が安定化されつつ、操作アーム３４の先端がランス１３の係止部１５内に嵌合され、図８に示すように、治具Ｊのテーパ面３５が、係止部１５の傾斜面１５ｂに対して上から係止又は近接して対向した状態となる。このとき、ガイド部３６がガイド面１７に当接することにより、解除部３１の薄肉部３３の上面は、端子金具２０の下面板よりも更に下方に位置する状態に保たれるため、解除部３１（操作アーム３４）が端子金具２０と干渉することはない。尚、二股の操作アーム３４の間には、抜止め突起２３が進入した状態となる。また、操作アーム３４が係止部１５の奥端に突き当たるため、治具Ｊのそれ以上の挿入動作が規制され、規制面３８は、コネクタハウジング１０の前端面に対してその前方に離間した位置にある。
【００３０】
この後は、ガイド面１７の前端縁（前面壁１０Ｆの前端面における下端縁）を支点として治具Ｊを前下がりの向きに傾けると、ランス１３が下方へ弾性変形させられて抜止め突起２３から解離し、もって、端子金具２０がランス１３による抜止め状態から解放される。あとは、治具Ｊの姿勢を保ったまま（ランス１３の弾性撓み状態を保ったまま）で、端子金具２０をキャビティ１１から引き抜けばよい。
【００３１】
上述のように本実施形態においては、治具Ｊには、解除部３１の薄肉部３３における端子金具２０との対向面（薄肉部３３）から突出した形態のガイド部３６が形成され、型抜き空間１６に治具Ｊを挿入する過程では、前面壁１０Ｆにおける型抜き空間１６に臨むガイド面１７にガイド部３６を摺接させることで、解除部３１をガイド面１７よりも型抜き空間１６側へ変位させた状態に保たれるようにしている。したがって、端子金具２０の一部がガイド面１７よりも型抜き空間１６側へ突出していても、解除部３１が端子金具２０の突出部と干渉する虞がない。
【００３２】
また、ガイド部３６の先端部には、型抜き空間１６への挿入方向に対して傾斜した誘導面３７が形成されているので、治具Ｊを型抜き空間１６に挿入する際に、先端の解除部３１がガイド面１７に当接又は接近していても、誘導面３７によって、解除部３１がガイド面１７から離間する方向（下方）へ変位するとともにガイド部３６がガイド面１７に摺接する状態へ誘導されるので、治具Ｊの挿入動作が円滑に行われる。
【００３３】
また、ランス１３の下方には撓み空間１８が確保されているため、治具Ｊが正規の姿勢よりも前下がりの姿勢で挿入されたときに、操作アーム３４がランス１３の係止部１５に係止せずにランス１３の下（撓み空間１８内）に潜り込んでしまうことが懸念される。しかしながら本実施形態では、ガイド部３６が幅方向においてランス１３とは非対応の領域、即ち、ランス１３の外側面よりも更に外側の位置に配されているので、操作アーム３４が係止部１５に突き当たる正規挿入位置よりも奥方へ侵入したとしても、ガイド部３６がランス１３と干渉してランス１３を傷付ける虞はない。
【００３４】
しかも、治具Ｊが不正挿入されたときには、規制面３８がコネクタハウジング１０の前端面に突き当たることによって、治具Ｊの過剰な挿入が阻止されるので、撓み空間１８の内壁面が治具Ｊで傷付けられることもない。
【００３５】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００３６】
（１）上記実施形態では端子金具の一部がガイド面よりも型抜き空間側へ突出するコネクタに使用される場合について説明したが、本発明の解除治具は、端子金具の一部が型抜き空間側へ突出しない形態のコネクタにも使用できる。
【００３７】
（２）上記実施形態では端子金具におけるランスとの係止部が突起状をなす場合について説明したが、本発明によれば、端子金具におけるランスとの係止部が突起状をなす場合に限らず、端子金具の下面（型抜き空間との対向面）に開口する孔でもよい。この場合、解除部は二股でなくてもよい。
【００３８】
（３）上記実施形態ではガイド部が幅方向においてランスと非対応の領域に配されているが、本発明によれば、ガイド部の一部又は全部が幅方向においてランスと対応する領域に配されていてもよい。
【００３９】
（４）上記実施形態では誘導面を勾配角度が一定の傾斜面としたが、本発明によれば、誘導面は全体として傾斜した湾曲面としてもよい。
【図面の簡単な説明】
【００４０】
【図１】実施形態１において治具を挿入する前の状態をあらわす断面図
【図２】コネクタハウジングの内部をあらわす一部切欠斜視図
【図３】治具の平面図
【図４】治具の断面図
【図５】治具の正面図
【図６】図１の部分拡大図
【図７】ガイド部がガイド面に当接するまで治具を型抜き空間に挿入した状態をあらわす部分拡大断面図
【図８】治具を正規位置まで挿入した状態をあらわす部分拡大断面図
【図９】治具を操作してランスを端子金具から解離させた状態をあらわす部分拡大断面図
【図１０】治具を挿入した状態をあらわす一部切欠正面図
【図１１】端子金具の正面図
【図１２】（Ａ）従来例において治具がランスに係止した状態をあらわす断面図  （Ｂ）従来例において治具がランスから外れた状態をあらわす断面図
【符号の説明】
【００４１】
Ｃ…コネクタ
１０…コネクタハウジング
１０Ｆ…前面壁
１１…キャビティ
１３…ランス
１６…型抜き空間
１７…ガイド面
２０…端子金具
Ｊ…解除治具
３１…解除部
３６…ガイド部
３７…誘導面
【図１】
2005063921.tif 000003
【図２】
2005063921.tif 000004
【図３】
2005063921.tif 000005
【図４】
2005063921.tif 000006
【図５】
2005063921.tif 000007
【図６】
2005063921.tif 000008
【図７】
2005063921.tif 000009
【図８】
2005063921.tif 000010
【図９】
2005063921.tif 000011
【図１０】
2005063921.tif 000012
【図１１】
2005063921.tif 000013
【図１２】
2005063921.tif 000014